(57)【要約】【課題】同時に複数の接続ネジに接続し、安全かつ簡単に端子台に着脱でき、作業効率の高い電気接続用冶具を提供する。【解決手段】電気接続用冶具１は、端子台４０の接続ネジ４１に接続する接点部を一端に有し、他端に接続コードを取り付ける部材を含む接続コード取り付け部を有する複数の電気接続用端子２０と、電気接続用端子２０を保持し、端子台４０に着脱自在に固定する固定手段を備えた固定具１０と、を備え、固定具１０は、端子台４０の絶縁壁４２に固定時に接続ネジ４１の頭部に電気接続用端子２０が略垂直に当接するように電気接続用端子２０を保持する保持部を有し、保持部は複数の貫通孔を有し、電気接続用端子２０は、その貫通孔を貫通し、接点部と保持部の間にバネ部材を備え、固定具１０が電気接続用端子２０を可動に保持する。【選択図】図１
0003217914.tif 000002
【実用新案登録請求の範囲】
【請求項１】
端子台の接続ネジの頭部に接触して電気的に接続する接点部を一端に有し、他端に接続コードを取り付ける部材を含む接続コード取り付け部を有する複数の電気接続用端子と、
前記電気接続用端子を保持し、前記端子台の絶縁壁に着脱自在に固定する固定手段を備えた固定具と、
を備え、
前記固定具は、前記端子台の前記絶縁壁に固定時に前記端子台の前記接続ネジの頭部に前記電気接続用端子が略垂直に当接するように前記電気接続用端子を保持する保持部を有し、該保持部は複数の貫通孔を有し、
前記電気接続用端子は、前記貫通孔を貫通して前記接点部が前記端子台の接続ネジの頭部を押圧して接続するように前記接点部と前記保持部の間にバネ部材を備え、
前記接点部及び前記バネ部材と、前記接続コードを取り付ける部材が、前記電気接続用端子の両端の抜け止め片として作用して、前記固定具が前記電気接続用端子を可動に保持することを特徴とする電気接続用冶具。
【請求項２】
前記固定具は、前記端子台の絶縁壁に着脱自在に挟持して固定する一対のクリップ片を有するクリップ構造に形成し、前記固定手段は、前記一対のクリップ片とその先端側の一対の挟持部が閉じる方向に力を付勢する弾性部材で構成され、前記絶縁壁を挟持する際に、前記一対のクリップ片を結合する枢支部が、前記電気接続用端子を保持する前記保持部を有することを特徴とする請求項１に記載の電気接続用冶具。
【請求項３】
前記固定具の前記枢支部が２段構造に構成され、各段に前記電気接続用端子を保持する前記保持部を有することを特徴とする請求項２に記載の電気接続用冶具。
【請求項４】
前記固定具の少なくとも一部が透明材からなること又は一部に孔が穿設されていることを特徴とする請求項２又は３に記載の電気接続用冶具。
【請求項５】
前記固定具の前記固定手段は、ネジを使用した固定手段であり、前記固定具に前記ネジを挿通するネジ孔を配設し、前記端子台の絶縁壁に配設されるネジ孔に前記固定具を挿通した前記ネジを挿入して締め付けて前記端子台と前記固定具を固定することを特徴とする請求項１に記載の電気接続用冶具。
【請求項６】
前記電気接続用端子の前記接続コード取り付け部に絶縁被覆を被せたことを特徴とする請求項１〜５のいずれかに記載の電気接続用冶具。
【考案の詳細な説明】
【技術分野】
【０００１】
本考案は、電気機器の電気回路の測定等に用いられる電気接続用冶具に関し、特に様々な形状の端子台の絶縁壁に取り付けて使用する電気接続用冶具に関する。
【背景技術】
【０００２】
従来、電気機器等の端子台の接続ネジに直接、接続用コードを取り付けてそのコードを計測用機器に接続して電気回路の測定等を行っていた。端子台の接続ネジは、絶縁隔壁の間に配置されていることが多いため、接続ネジに接続用コードを着脱する作業に手間がかかっていた。例えば、図１０は端子台４０に接続コード３０を取り付けた従来例であるが、端子台４０の絶縁壁４２間の接続ネジ４１の頭部に接続コード３０を１つ１つに着脱する作業は手間がかかり、作業効率が悪かった。また、端子台４０の接続ネジ４１に触れて感電事故又は短絡事故等を起こすこともあった。
【０００３】
これらの問題を解決するため、端子台の接続ネジに容易に接続を可能とした接続クリップが開発されている。例えば特許文献１には、滑り止め突起が付いており、その滑り止め突起まで絶縁チューブで覆われている接続クリップが開示されている。その発明によると、導体を覆う絶縁チューブのずれを防止し、接続対象を簡便に挟持できるとされている。
【０００４】
また、特許文献２には、一対のクリップ片の片方のみが端子台の接続ネジに電気的に接続する鰐口クリップが開示されている。その発明によると、取扱いが容易で、振動や衝撃などに対しても接続ネジの頭部との接触を確実に維持することが可能とされている。特許文献３には、絶縁被覆から露出する部分にも絶縁処理が施された電気接続用クリップが開示されている。それにより、漏電事故又は短絡事故等を防止し得るとされている。
【先行技術文献】
【特許文献】
【０００５】
【特許文献１】特開２００８−１３５２０５号公報
【特許文献２】特開２０１１−９０８８２号公報
【特許文献３】登録実用新案第３０３０１１４号公報
【考案の概要】
【考案が解決しようとする課題】
【０００６】
特許文献１〜３等の従来の接続クリップは、端子台の接続ネジに容易かつ、安全に接続できるように工夫がされているが、端子台の接続ネジが多い場合（例えば図１０に示す端子台４０）など、１つ１つの接続ネジに接続クリップを着脱する作業は手間がかかる。そこで、安全で簡単に着脱でき、同時に複数の接続ネジに接続できる接続クリップが望まれていた。
【０００７】
本考案は、上記課題に鑑み、同時に複数の接続ネジに接続し、安全かつ簡単に端子台に着脱できる作業効率の高い電気接続用冶具を提供することを目的とする。
【課題を解決するための手段】
【０００８】
上記目的を達成するため、請求項１に記載の考案は、端子台の接続ネジの頭部に接触して電気的に接続する接点部を一端に有し、他端に接続コードを取り付ける部材を含む接続コード取り付け部を有する複数の電気接続用端子と、前記電気接続用端子を保持し、前記端子台の絶縁壁に着脱自在に固定する固定手段を備えた固定具と、を備え、前記固定具は、前記端子台の前記絶縁壁に固定時に前記端子台の前記接続ネジの頭部に前記電気接続用端子が略垂直に当接するように前記電気接続用端子を保持する保持部を有し、該保持部は複数の貫通孔を有し、前記電気接続用端子は、前記貫通孔を貫通して前記接点部が前記端子台の接続ネジの頭部を押圧して接続するように前記接点部と前記保持部の間にバネ部材を備え、前記接点部及び前記バネ部材と、前記接続コードを取り付ける部材が、前記電気接続用端子の両端の抜け止め片として作用して、前記固定具が前記電気接続用端子を可動に保持することを特徴とする電気接続用冶具である。
請求項２に記載の考案は、請求項１に記載の電気接続用冶具であって、前記固定具は、前記端子台の絶縁壁に着脱自在に挟持して固定する一対のクリップ片を有するクリップ構造に形成し、前記固定手段は、前記一対のクリップ片とその先端側の一対の挟持部が閉じる方向に力を付勢する弾性部材で構成され、前記絶縁壁を挟持する際に、前記一対のクリップ片を結合する枢支部が、前記電気接続用端子を保持する前記保持部を有することを特徴とする。
請求項３に記載の考案は、請求項２に記載の電気接続用冶具であって、前記固定具の前記枢支部が２段構造に構成され、各段に前記電気接続用端子を保持する前記保持部を有することを特徴とする。
請求項４に記載の考案は、請求項２又は３に記載の電気接続用冶具であって、前記固定具の少なくとも一部が透明材からなること又は一部に孔が穿設されていることを特徴とする。
請求項５に記載の考案は、請求項１に記載の電気接続用冶具であって、前記固定具の前記固定手段は、ネジを使用した固定手段であり、前記固定具に前記ネジを挿通するネジ孔を配設し、前記端子台の絶縁壁に配設されるネジ孔に前記固定具を挿通した前記ネジを挿入して締め付けて前記端子台と前記固定具を固定することを特徴とする。
請求項６に記載の考案は、請求項１〜５のいずれかに記載の電気接続用冶具であって、前記電気接続用端子の前記接続コード取り付け部に絶縁被覆を被せたことを特徴とする。
【考案の効果】
【０００９】
本考案の電気接続用冶具によると、同時に複数の接続ネジに接続でき、安全かつ簡単に端子台に着脱できるため、作業効率を高めることができる。
【図面の簡単な説明】
【００１０】
【図１】第１の実施形態の電気接続用冶具の使用態様を示す全体斜視図である。
【図２】第１の実施形態の電気接続用冶具の（Ａ）正面図、（Ｂ）左側面図、（Ｃ）右側面図、（Ｄ）平面図である。
【図３】第１の実施形態の電気接続用冶具の（Ａ）開いた状態、（Ｂ）閉じた状態を示す説明図である。
【図４】第２の実施形態の電気接続用冶具の（Ａ）斜視図、（Ｂ）斜視図をＡ方向から見た図である。
【図５】第３の実施形態の電気接続用冶具の（Ａ）正面図、（Ｂ）左側面図、（Ｃ）右側面図、（Ｄ）平面図である。
【図６】第３の実施形態の電気接続用冶具の使用態様を示す模式図である。
【図７】第４の実施形態の電気接続用冶具の（Ａ）斜視図、（Ｂ）接続対象の端子台の斜視図である。
【図８】第４の実施形態の電気接続用冶具の（Ａ）平面図、（Ｂ）底面図、（Ｃ）右側面図である。
【図９】第４の実施形態の電気接続用冶具を端子台に固定した状態の斜視図である。
【図１０】端子台に接続コードを取り付けた従来例を示す斜視図である。
【考案を実施するための形態】
【００１１】
以下、本考案の実施形態（以下実施例と記す）を、図面に基づいて説明する。なお、以下の図において、共通する部分には同一の符号を付しており、同一符号の部分に対して重複した説明を省略する。
【００１２】
本考案の電気接続用冶具は、端子台の接続ネジの頭部に接触して電気的に接続する接点部を一端に有し、他端に計測器等への接続コードを取り付ける部材を含む接続コード取り付け部を有する複数の電気接続用端子と、電気接続用端子を保持し、端子台の絶縁壁に着脱自在に固定する固定手段を備えた固定具から構成される。この固定具は、端子台の絶縁壁に固定時に端子台の接続ネジの頭部に電気接続用端子が略垂直に当接するように電気接続用端子を保持する保持部を有しており、その保持部は複数の電気接続用端子が貫通する複数の貫通孔を有している。なお、以下で説明する実施例では、固定具に保持される電気接続用端子の本数が２本、４本、６本の場合を例に挙げて説明するが、本考案はこれに限らず、あらゆる本数の電気接続用端子を保持した固定具を含む。
【００１３】
また、電気接続用端子は、固定具の貫通孔を貫通して、その接点部が端子台の接続ネジの頭部を押圧して接続するように接点部と固定具の保持部の間にバネ部材を備えている。電気接続用端子の接点部及びバネ部材と、接続コード取り付け部が、電気接続用端子の両端の抜け止め片として作用して、固定具が電気接続用端子を可動に保持している。以上の構成を満たす電気接続用冶具であれば、固定具の形状は特に限定されないが、以下では端子台の形状に合うように、クリップ構造に形成した固定具と、インターフェイス型（両端支持型）に形成した固定具について説明する。
【実施例１】
【００１４】
本考案の第１の実施例の使用態様を、図１を参照して説明する。また、その利点が明確になるように、従来技術である図１０を参照しながら説明する。図１は、第１の実施例の使用態様を示す全体斜視図である。図１０は、端子台４０に接続コード３０を取り付けた従来例を示す斜視図である。まず、電気接続用冶具１の概略を説明し、その構成部（固定具１０、電気接続用端子２０）の詳細は後述する。
【００１５】
図１に示すように、本実施例の電気接続用冶具１は、端子台４０の接続ネジ４１の頭部に接触して電気的に接続する接点部を一端に有し、他端に計測器等への接続コード３０を取り付ける部材を含む接続コード取り付け部を有する複数の電気接続用端子２０と、電気接続用端子２０を保持し、端子台４０の絶縁壁４２に着脱自在に固定する固定手段を備えたクリップ構造の固定具１０から構成される。本実施例の電気接続用冶具１は、２本の電気接続用端子２０が固定具１０に保持されている。
【００１６】
前述のように、端子台４０の接続ネジ４１の頭部は、絶縁壁４２の間に配列している場合が多く、接続コード３０をその接続ネジ４１に１本ずつ取り付ける作業には、手間がかかっていた。図１０に示すように、作業者が接続コード３０を接続ネジ４１に１本ずつ取り付ける従来の方法では、緻密な作業であるため、集中力低下や作業時間の短縮化と効率化に問題があった。また、端子台４０の接続ネジ４１に触れて感電事故又は短絡事故等を起こすこともあった。
【００１７】
本実施例では、作業者が予め電気接続用冶具１の電気接続用端子２０に接続コード３０を接続し、クリップ構造の固定具１０を端子台４０の絶縁壁４２に嵌めて固定するだけで、簡単に端子台４０の接続ネジ４１と接続コード３０を接続させることができる。更に、その接続コード３０を計測用機器に接続して電気回路の測定等を容易に行うことができる。
【００１８】
本考案の電気接続用冶具１を使用することで、同時に複数の接続ネジ４１（本実施例では２本）と複数の接続コード３０（本実施例では２本）を接続させることができるため、作業時間の短縮化と効率化を図ることができる。また、作業者は直接、端子台４０の接続ネジ４１の頭部に触れることがないため、安全に電気接続用冶具１を端子台４０に取り付けることができる。
【００１９】
次に、電気接続用冶具１の構成部について、図２、３を参照して説明する。図２（Ａ）は、本実施例の電気接続用冶具１の正面図、図２（Ｂ）は左側面図、図２（Ｃ）は、右側面図、図２（Ｄ）は、平面図である。図３（Ａ）は、電気接続用冶具１の開いた状態、図３（Ｂ）は閉じた状態の説明図である。電気接続用冶具１は、使用しない状態においては、通常のクリップと同様に一対のクリップ片の先端側（挟持部１１）が閉じた状態である。図２（Ａ）〜（Ｄ）では、電気接続用冶具１の一対のクリップ片が平行になるまで開いた状態の正面図等を表す。
【００２０】
図２、３に示すように本実施例の電気接続用冶具１の電気接続用端子２０は２本、固定具１０に保持されており、一端に端子台の接続ネジに接触する接点部２１、他端に接続コードを取り付ける部材を含む接続コード取り付け部２２を有している。接続コード取り付け部２２は例えばボルトであり、接続コードを取り付ける部材２４は例えばナットである。接続コード３０の端子をボルト２２に通してナット２４で挟むことで取り付けることができる。接続コード取り付け部２２や接続コードを取り付ける部材２４はこれに限定されず、接続コード３０が取り付けられれば、いかなる構成でもよい。
【００２１】
電気接続用端子２０は接続ネジ４１の頭部に接触して電気を通すため、ステンレス鋼などの金属製の伝導体から構成される。電気接続用冶具１を操作中に手指が接続コード取り付け部２２に触れて感電することがないように、接続コード取り付け部２２には絶縁被覆を被せることが好ましい。絶縁被覆は例えば、樹脂製の塩化ビニル等で構成される。また、電気接続用端子２０の数やその間隔は、計測する端子台の形状に合うように設計される。本実施例の場合には図１に示す端子台４０の接続ネジ４１の間隔に合うように設計されている。
【００２２】
また、電気接続用端子２０の接点部２１は、端子台の接続ネジ４１の頭部に嵌合するように凹状に形成してもよい（図示せず）。接点部２１を凹状に形成することで、滑らずに接続ネジ４１の頭部の形状に嵌り、電気接続用端子２０と接続ネジ４１を安定的に接続させることができる。
【００２３】
固定具１０は、電気接続用端子２０を保持し、端子台４０の絶縁壁４２に着脱自在に固定する固定手段を備えている。固定具１０は、作業者が手で持って使用するため、絶縁性の合成樹脂材から構成される。本実施例の固定具１０はクリップ構造であり、固定手段は、一対のクリップ片とその先端側の一対の挟持部１１が閉じる方向に力を付勢する弾性部材で構成される。弾性部材は、いかなる材質、形態のものでもよいが、例えばバネ用ステンレス鋼などの金属製の固定用リング１４を使用することができる。本実施例では、両クリップ片の挟持部１１と後端側の把持部１２の略中央部で、両クリップ片を結合する枢支部をまたがらせて両クリップ片の挟持部１１の外面を押圧するように固定用リング１４が取り付けられている。なお、本実施例では、両クリップ片の中央部分に２本の固定用リングを取り付けているが、固定用リング１４の本数や取り付ける位置は、クリップ片の大きさ、材質等により適宜変更できる。
【００２４】
図３（Ａ）に示すように、作業者が一対の把持部１２の外面を外側から内側に（矢印方向）押圧することで両挟持部１１が開き、端子台４０の絶縁壁４２の間隔に合わせて固定具１０を嵌め合わせる。すると、図３（Ｂ）に示すように、固定リング１４が挟持部１１の外面を押圧する方向に（把持部１２の矢印方向）力が働き、両挟持部１１で絶縁壁４２を挟持することで、固定具１０が端子台４０に固定される。なお、固定する際には、２本の電気接続用端子２０の接点部２１が、端子台４０の接続ネジ４１の頭部に当接しているかを確認しながら固定する。固定具１０を端子台４０から取り外す際には、再度、図３（Ａ）に示すように一対の把持部１２の外面を外側から内側に押圧して、両挟持部１１を開いて取り外す。このようにして、固定具１０を端子台４０に容易に着脱させることができる。
【００２５】
なお、図２（Ａ）、（Ｂ）に示すように、固定具１０の両挟持部１１の先端部には、端子台４０の絶縁壁４２に嵌るように溝１１１を設けてもよい。このような溝１１１を設けることで横ずれを防ぎ、固定具１０を端子台４０に嵌めやすくなる。さらに、端子台４０からの滑り防止のために両挟持部１１の先端部には、滑り防止用の弾性部材（ゴムなど）を取り付けてもよい。また、通常、端子台４０には絶縁カバーの取り付け溝４３が形成されているが（図１参照）、その溝に嵌め合わすことができるように、固定具１０の両挟持部１１の枢支部側に突状部１１２を設けてもよい（図２（Ａ）参照）。それにより、両挟持部１１の突状部１１２が、端子台４０には絶縁カバーの取り付け溝４３に嵌って固定され、固定具１０の脱落を防ぐことができる。
【００２６】
更に、固定具１０の少なくとも１片の挟持部１１を透明材で形成してもよいし、固定具１０の全体を透明材で形成してもよい。また、固定具１０の少なくとも１片の挟持部１１の先端部付近に孔を穿設してもよいし、枢支部に孔を穿設してもよい（図示せず）。固定具１０に穿設する孔は１個でもよいし、複数個でもよい。このように固定具１０の少なくとも一部が透明材透明材からなること又は一部に孔が穿設されていることにより、電気接続用端子２０の接点部２１の位置が確認し易くなり、接続ネジ４１の頭部に当接しているか否かの確認が容易になる。それにより、更に作業効率を高めることができる。
【００２７】
また、固定具１０は、端子台４０の絶縁壁４２に固定時に端子台４０の接続ネジ４１の頭部に電気接続用端子２０が略垂直に当接するように電気接続用端子２０を保持する保持部を有しており、その保持部に電気接続用端子２０が貫通する複数の貫通孔が配設されている。ここで、略垂直とは、完全な垂直だけではなく垂直から多少ずれているものを含む。本実施例では、固定具１０を絶縁壁４２に固定した後の状態は、一対のクリップ片が略平行に開いた状態（図１、図２（Ａ））である。その際に端子台の接続ネジ４１の頭部に電気接続用端子２０が略垂直に当接するように電気接続用端子２０を保持する保持部１３は、一対のクリップ片を結合する枢支部に設けられている。その保持部１３に２本の電気接続用端子２０が貫通する貫通孔が所定間隔で配設されている（図２（Ｂ）、（Ｃ））。
【００２８】
図２（Ａ）と図３に示すように、電気接続用端子２０は、保持部１３の貫通孔を貫通して接点部２１と保持部１３の間にバネ部材２３を備えている。それにより、電気接続用端子２０の接点部２１が端子台４０の接続ネジ４１の頭部を略垂直に押圧するため、確実に接触させることができる。バネ部材２３はいかなるものでもよいが、例えばステンレス鋼などの金属製の圧縮コイルバネを使用することができる。
【００２９】
このバネ部材２３及び接点部２１と、接続コード取り付け部材２４が、保持部１３を貫通する電気接続用端子２０の両端の抜け止め片として作用するため、電気接続用端子２０は、保持部１３の貫通孔から抜けることなく、可動に保持される。電気接続用端子２０が固定具１０に可動に保持されることで、接点部２１を端子台４０の接続ネジ４１の頭部に接触させやすく、固定具１０を端子台４０に嵌めて固定させやすくなる。
【００３０】
以上の電気接続用冶具１を使用して、予め電気接続用端子２０の接続コード取り付け部２２に接続コード３０を接続しておけば、固定具１０を端子台４０の絶縁壁４２に嵌めて固定するだけで、簡単に端子台４０の２本の接続ネジ４１と２本の接続コード３０を電気的に接続させることができる。複数本の接続コード３０を端子台４０に同時に接続させることが可能であるため、作業時間を短縮でき、作業効率を高めることができる。
【実施例２】
【００３１】
次に、本考案の第２の実施例の電気接続用冶具１００について図４を参照して説明する。図４は、第２の実施例の電気接続用冶具１００の（Ａ）斜視図、（Ｂ）斜視図をＡ方向から見た図を示す。本実施例の電気接続用冶具１００は、図１等に示す電気接続用冶具１の固定具１０の形状が異なり、また、電気接続用端子２０の本数が異なる。それ以外の構成や端子台への着脱方法は同様であるため、共通部分の説明は省略する。
【００３２】
図４に示すように本実施例の電気接続用冶具１００は、４本の電気接続用端子２０が固定具５０に保持されている。電気接続用端子２０の構成は、実施例１と同じであるため、説明を省略する。固定具５０は、実施例１と同様にクリップ構造であり、固定手段は、一対のクリップ片とその先端側の一対の挟持部５１が閉じる方向に力を付勢する弾性部材で構成される。弾性部材は、実施例１と同様に金属製の固定用リング５４を使用することができる。本実施例では、実施例１よりもクリップ片の表面積が大きいため、バランスよくクリップ片を開閉させるために、固定用リング５４は一対のクリップ片の両サイドに枢支部をまたがらせて取り付けられている。
【００３３】
図４（Ａ）に示すように、固定具５０の両挟持部５１の先端部は、端子台４０の絶縁壁４２の外形寸法に嵌るように形成されている。また、端子台４０の絶縁壁４２への誤接触や横ずれを防ぐために、両挟持部５１の先端部の両端に形成された突状部に、面取りを施してもよい。さらに、実施例１と同様に、滑り防止のために両挟持部５１の先端部には、滑り防止用の弾性部材を取り付けてもよい。また、固定具５０の少なくとも一部を透明材で形成又は一部に孔を穿設してもよい。
【００３４】
また、本実施例の固定具５０の保持部５３は、実施例１と同様に、一対のクリップ片を結合する枢支部に設けられており、そこに４本の電気接続用端子２０が貫通する貫通孔が所定間隔で配設されている。図４（Ａ）に示すように、電気接続用端子２０は、保持部５３の貫通孔を貫通して接点部２１と保持部５３の間にバネ部材２３を備えており、電気接続用端子２０は可動に保持される。
【００３５】
本実施例の電気接続用冶具５０の電気接続用端子２０の接続コード取り付け部２２（図４（Ｂ）参照）に予め接続コード３０を取り付けて、固定具５０を端子台４０の絶縁壁４２に嵌めて固定するだけで、簡単に端子台４０の４本の接続ネジ４１と４本の接続コード３０を電気的に接続させることができる。それにより、実施例１よりも更に作業時間を短縮でき、作業効率を高めることができる。
【実施例３】
【００３６】
次に、本考案の第３の実施例の電気接続用冶具２００について図５と図６を参照して説明する。図５は、第３の実施例の電気接続用冶具の（Ａ）正面図、（Ｂ）左側面図、（Ｃ）右側面図、（Ｄ）平面図である。図６は、第３の実施例の電気接続用冶具の使用態様を示す模式図である。本実施例の電気接続用冶具２００は、実施例１と実施例２の固定具１０、５０とは形状が異なり、また、固定する端子台４００の形状も異なる。それ以外の構成や端子台への着脱方法は同様であるため、共通部分の説明は省略する。
【００３７】
図５に示すように本実施例の電気接続用冶具２００は、４本の電気接続用端子２０が２本ずつ２段構成で固定具６０に保持されている。電気接続用端子２０の構成は、実施例１、２と同じであるため、説明を省略する。固定具６０は、実施例１、２と同様にクリップ構造であり、固定手段は、一対のクリップ片とその先端側の一対の挟持部６１が閉じる方向に力を付勢する弾性部材で構成される。弾性部材は、実施例１、２と同様に金属製の固定用リング６４を使用することができる。本実施例においても、実施例２と同様に、バランスよくクリップ片を開閉させるために、固定用リング６４は一対のクリップ片の両サイドに枢支部をまたがらせて取り付けられている（図５（Ｂ）〜（Ｄ）参照）。
【００３８】
本実施例の電気接続用冶具２００は、２段構造の端子台４００に接続するように構成されている。また、本実施例の固定具６０の保持部６３は、実施例１、２と同様に、一対のクリップ片を結合する枢支部に設けられているが、保持部６３は図５（Ｂ）に示すように、端子台の構造と合うように、２段構造になっている。その保持部６３に４本の電気接続用端子２０が貫通する貫通孔が上段に２本、下段に２本所定間隔で配設されている。図５（Ａ）に示すように、電気接続用端子２０は、保持部６３の貫通孔を貫通して接点部２１と保持部６３の間にバネ部材２３を備えており、電気接続用端子２０は可動に保持される。
【００３９】
また、実施例１と同様に、本実施例の固定具２００の両挟持部６１の先端部には、２段構成の端子台４００の各絶縁壁に嵌るように溝６１１を設けてもよい。このような溝６１１を設けることで横ずれが防ぎやすくなり、２段構成の端子台４００であっても固定具６０を嵌めやすくなる。さらに、実施例１、２と同様に、滑り防止のために両挟持部５１の先端部には、滑り防止用の弾性部材を取り付けてもよい。また、実施例１、２と同様に固定具６０の少なくとも一部を透明材で形成又は一部に孔を穿設してもよい。
【００４０】
図６に示すように、本実施例の電気接続用冶具６０を使用することで、２段構成の端子台４００であっても、安定して端子台４００の接続ネジ４１０に電気接続用端子２０を接触させて固定することができる。なお、保持部６３の段差により、接続コード取り付け部２２の突き出し部分の長さが異なるのを避けるため、異なる長さの電気接続用端子２０を使用してもよい。本実施例では、保持部６３の上の段（２段目）を貫通する電気接続用端子２０は短く、下の段（１段目）を貫通する電気接続用端子２０は長いものを使用している（図６参照）。このようにすることで、接続コード３０を接続コード取り付け部２２に取り付け易くなる。
【００４１】
予め４本の接続コード取り付け部２２に４本の接続コード３０を取り付けて、固定具６０を端子台４００の絶縁壁に嵌めて固定するだけで、２段構成の端子台４００であっても、簡単に端子台４００の接続ネジ４１０と接続コード３０を電気的に接続させることができる。それにより、２段構成の端子台４００に１本ずつ接続コード３０を取り付けるのではなく、一度に４本の接続コードを取り付けることができるため、着脱作業の時間を短縮でき、作業効率を高めることができる。
【実施例４】
【００４２】
次に、本考案の第４の実施例の電気接続用冶具３００について図７〜図９を参照して説明する。図７は、第４の実施例の電気接続用冶具の（Ａ）斜視図、（Ｂ）接続対象の端子台の斜視図である。図８は、第４の実施例の電気接続用冶具の（Ａ）平面図、（Ｂ）底面図、（Ｃ）右側面図である。図９は、第４の実施例の電気接続用冶具を端子台に固定した状態の斜視図である。本実施例の固定具７０は、実施例１〜３の固定具のようなクリップ構造ではなく、インターフェイス型（両端支持型）である。また、固定する端子台の形状も実施例１〜３とは異なる。電気接続用端子２０の構成は実施例１〜３と同様であるため詳細な説明を省略する。
【００４３】
図７（Ａ）に示すように、本実施例の固定具７０は、端子台８０の絶縁壁８２に固定時に接続ネジ８１の頭部に電気接続用端子２０が略垂直に当接するように電気接続用端子２０を保持する保持部７２を有しており、本実施例の保持部７２は固定具７０の上面である。その保持部７２の中央部に６本の電気接続用端子２０を保持する貫通孔が配設されている。貫通孔の数やその間隔は、計測する端子台８０の形状に合うように設計される。本実施例の場合には図７（Ｂ）に示す端子台８０の接続ネジ８１の間隔に合うように固定具７０が設計されている。
【００４４】
本実施例においても、図７（Ａ）に示すように電気接続用端子２０は、保持部７２の貫通孔を貫通して接点部２１と保持部７２の間にバネ部材２３を備えている。それにより、電気接続用端子２０の接点部２１が端子台８０の接続ネジ８１の頭部を略垂直に押圧するため、確実に接触させることができる。
【００４５】
固定具７０は、図７（Ｂ）に示す端子台８０の絶縁壁８２に着脱自在に固定する固定手段を備えている。その固定手段は、いかなるものでもよいが、本実施例では、２本のネジ７５を使用する。図８（Ａ）〜（Ｃ）に示すように、２本のネジ７５は上面（又は底面）において略長方形の対角線上に配設されたネジ孔に挿通される。また、同様に端子台８０の絶縁壁８２にネジ孔８３が端子台８０の上面、対角線上に配設されている（図７（Ｂ）参照）。このネジ孔８３は、既に配設されている端子台８０の絶縁カバーの取り付け孔を利用してもよいし、新たに配設してもよい。
【００４６】
固定具７０は、その両端を作業者が手で持って使用するため、絶縁性の合成樹脂材から構成される。図９に示すように、固定具７０を端子台８０に固定する際には、まず作業者が固定具７０の下端部７１を端子台８０の絶縁壁８２にあてながらスライドさせて合わせる。このとき、６本の電気接続用端子２０の接点部２１が、端子台８０の接続ネジ８１の頭部に当接しているかを確認しながら合わせる。そして、固定具７０を挿通したネジ７５を、端子台８０のネジ孔８３に挿入して締め付けることで簡単に固定することができる。
【００４７】
固定具７０を端子台８０から取り外す際には、固定具７０のネジ７５を緩めて外し、固定具７０の下端部７１を端子台８０の絶縁壁８２からずらして取り外す。このようにして、固定具７０を端子台８０に容易に着脱させることができる。
【００４８】
本実施例の電気接続用冶具３００を使用して、予め電気接続用端子２０の接続コード取り付け部２２に接続コード３０を接続しておけば、固定具７０を端子台８０の絶縁壁８２に嵌めて固定するだけで、簡単に端子台８０の６本の接続ネジ８１と６本の接続コード３０を同時に接続させることができる。
【００４９】
以上、説明してきた様に、本考案の電気接続用冶具は、端子台への着脱作業を簡単かつ安全に行うことができる。また、様々な形態の端子台に適応した形態の電気接続用冶具を使用することで、どのような形態の端子台であっても確実に取り付けることができる。さらに、複数個の接続ネジに同時に接触して接続できるため、電気接続作業の時間を短縮でき、作業効率を高めることができる。
【００５０】
なお、上述した電気接続用冶具は一例であり、その構成は、考案の趣旨を逸脱しない範囲で、適宜変更可能である。
【符号の説明】
【００５１】
１，１００，２００，３００  電気接続用冶具
１０，５０，６０，７０  固定具
１１，５１，６１  挟持部
１２，５２，６２  把持部
１３，５３，６３，７２  保持部
１４，５４，６４  固定用リング
２０  電気接続用端子
２１  接点部
２２  接続コード取り付け部（ボルト）
２３  バネ部材
２４  接続コードを取り付ける部材（ナット）
３０  接続コード
４０，８０，４００  端子台
４１，８１，４１０  接続ネジ
４２，８２  絶縁壁
４３  絶縁カバーの取り付け溝
７１  下端部
７５  ネジ
８３  ネジ孔
１１１，６１１  溝
１１２  突状部
【図１】
0003217914.tif 000003
【図２】
0003217914.tif 000004
【図３】
0003217914.tif 000005
【図４】
0003217914.tif 000006
【図５】
0003217914.tif 000007
【図６】
0003217914.tif 000008
【図７】
0003217914.tif 000009
【図８】
0003217914.tif 000010
【図９】
0003217914.tif 000011
【図１０】
0003217914.tif 000012